(57)【要約】【課題】容易に販売促進メディアを制作することを可能とする販売促進メディア制作システムを提供することである。【解決手段】サーバ１１は、予めメーカー企業やサプライヤー企業から、Ｗｅｂ用画像データ、印刷用画像データ、図面データ等を含む商品データ３１を収集して標準化したカタログデータ１７を保持する。メーカー端末７、サプライヤー端末８、及びバイヤー端末９が、サーバ１１に販促メディア種別、印刷枚数、納期、商品コード、商品名、販売価格、宣伝文等からなる販促メディア注文情報を送り、販売促進メディア製作を要求すると、サーバ１１は、販促メディア注文情報と、該当するカタログデータ１７に基づいて販促メディアデータ１９を作成し、販促メディアの制作と納品を支持する。【選択図】　図１
2004012953.tif 000002
【特許請求の範囲】
【請求項１】
サーバと複数の端末装置とがネットワークを介して接続された販売促進メディア制作システムであって、
前記サーバは、
商品に関するカタログデータを保持するデータベースと、
前記端末装置からの要求に従って、前記データベースから該当するカタログデータを抽出して編集し、販売促進メディアを制作する手段と、
を具備することを特徴とする販売促進メディア制作システム。
【請求項２】
前記端末装置は、
カタログデータの商品を選択し、所定の情報を入力して販売促進メディア注文情報を作成し、前記サーバに送信する手段を具備することを特徴とする請求項１に記載した販売促進メディア制作システム。
【請求項３】
前記カタログデータは、
文字データ、ＷＥＢ用画像データ、印刷用画像データ、図面データ等を有することを特徴とする請求項１に記載した販売促進メディア制作システム。
【請求項４】
前記販売促進メディアは、
紙カタログ、チラシ、ＣＤ−ＲＯＭ、Ｗｅｂサイト等であることを特徴とする請求項１に記載した販売促進メディア制作システム。
【請求項５】
複数の端末装置とネットワークを介して接続されたサーバであって、
商品に関するカタログデータを保持するデータベースと、
前記端末装置からの要求に従って、前記データベースから該当するカタログデータを抽出して編集し、販売促進メディアを制作する手段と、
を具備することを特徴とするサーバ。
【請求項６】
コンピュータを請求項５に記載されたサーバとして機能させるプログラム。
【請求項７】
コンピュータを請求項５に記載されたサーバとして機能させるプログラムを記録した記録媒体。
【請求項８】
サーバとネットワークを介して接続されたで端末装置あって、
カタログデータの商品を選択して販売促進メディア注文情報を作成し、前記サーバに送信する手段を具備することを特徴とする端末装置。
【請求項９】
コンピュータを請求項８に記載された端末装置として機能させるプログラム。
【請求項１０】
コンピュータを請求項８に記載された端末装置として機能させるプログラムを記録した記録媒体。
【発明の詳細な説明】
【０００１】
【発明の属する技術分野】
本発明は、ネットワークを介して収集したカタログデータを活用して販売促進メディアを制作するシステムに関する。
【０００２】
【従来の技術】
従来、複数のメーカー企業から収集したカタログデータを再編集して、サプライヤー企業やバイヤー企業等に提供・販売し、電子調達システムやＥＣサイト構築に活用するサービスが行われている。一方、メーカー企業やサプライヤー企業、バイヤー企業は、それぞれの顧客に配布するための紙カタログやチラシ、ＣＤ−ＲＯＭ等の販売促進メディアを別途、制作している。
【０００３】
【発明が解決しようとする課題】
しかしながら、紙カタログやチラシ、ＣＤ−ＲＯＭ等の販売促進メディアを制作するには、商品に関する印刷用の写真データを独自で準備してカタログデータの文字データと編集する等の手間とコストがかかるという問題がある。
【０００４】
本発明は、以上の点に鑑みてなされたものであり、容易に販売促進メディアを制作することを可能とする販売促進メディア制作システムを提供することを目的とする。
【０００５】
【課題を解決するための手段】
前述した目的を達成するため、第１の発明は、サーバと複数の端末装置とがネットワークを介して接続された販売促進メディア制作システムであって、商品に関するカタログデータを保持するデータベースと、前記端末装置からの要求に従って、前記データベースから該当するカタログデータを抽出して編集し、販売促進メディアを制作する手段と、を具備することを特徴とする販売促進メディア制作システムである。
【０００６】
ここで、サーバとは、商品に関するカタログデータを登録・管理する管理会社が運営するサーバであり、端末装置とは、メーカー企業やサプライヤー企業、バイヤー企業等が有する端末装置である。また、カタログデータとは、予め複数のメーカー企業やサプライヤー企業から収集し、データ形式を標準化してデータベースに登録された電子カタログデータであり、文字データ、ＷＥＢ用画像データ、印刷用画像データ、図面データ等のさまざまな用途に活用するためのデータを含む。販売促進メディアとは、例えば紙カタログやチラシ、ＣＤ−ＲＯＭ、Ｗｅｂサイト等である。
【０００７】
第１の発明では、サーバは、予めメーカー企業やサプライヤー企業から印刷用画像データ等を含むカタログデータを収集しデータベースに登録しておき、端末装置からの要求に従って、データベースから該当するカタログデータ抽出して販売促進メディア用のデータを作成し、紙カタログやチラシ等の販売促進メディアの制作を指示する。
【０００８】
また、前記端末装置は、カタログデータの商品を選択し、所定の情報を入力して販売促進メディア注文情報を作成し、前記サーバに送信する手段を具備してもよい。
かかる構成により、メーカー企業やサプライヤー企業、バイヤー企業等が、端末装置を用いてカタログデータから必要な情報を選択し、印刷枚数、納期等の所定の情報を入力することにより、販売促進メディア注文情報を作成してサーバに送信し、販売促進メディアの制作を依頼することができる。
【０００９】
【発明の実施の形態】以下、図に基づいて本発明の実施の形態を詳細に説明する。図１に、本発明の実施形態に係る販売促進メディア制作システム１の概略構成を示す。販売促進メディア制作システム１は、ネットワークを用いて複数のメーカー企業やサプライヤー企業から収集したカタログデータを活用し、メーカー企業やサプライヤー企業、バイヤー企業等からの要求に従い、販売促進メディアの制作・印刷等を行うものである。
【００１０】
図１に示すように、販売促進メディア制作システム１はネットワーク３と、販促メディア制作装置５、メーカー端末７、サプライヤー端末８、及びバイヤー端末９等からなる。販売促進メディア制作システム１は、例えばインターネット等のネットワーク３を介して、販促メディア制作装置５と、複数のメーカー端末７−１、７−２、…、７−ｋや、サプライヤー端末８−１、８−２、…、８−ｍ、及びバイヤー端末９−１、９−２、…、９−ｎとが接続されて構成される。
【００１１】
販促メディア制作装置５は、サーバ１１、データベース１３、印刷装置１５等を有する。サーバ１１は、複数のメーカー企業やサプライヤー企業から収集したカタログデータを一元的に登録・管理し、再編集してサプライヤー企業やバイヤー企業に提供・販売するサービスを行う企業が運営するサーバであり、データベース１３、印刷装置１５等を備える。
【００１２】
データベース１３は、カタログデータ１７と販促メディアデータ１９を保持し、カタログデータ１７は、例えば図２に示すように、カタログ番号、商品名、メーカー名、商品コード、サイズ、色、価格、説明文、Ｗｅｂ用画像データ、印刷用画像データ、図面データ等の情報を有する。販促メディアデータ１９は、紙チラシやカタログ、ＣＤ−ＲＯＭ、Ｗｅｂサイト等の販売促進メディアの制作に用いるデータである。印刷装置１５は、サーバ１１の指示により販促メディアデータ１９を用いて、紙チラシやカタログ等の印刷を行うための装置である。
【００１３】
メーカー端末７、サプライヤー端末８、及びバイヤー端末９は、それぞれメーカー企業、サプライヤー企業、バイヤー企業の有するパーソナルコンピュータ等であり、サーバ１１に対して商品データ（カタログデータ）の登録や、希望する商品に関する電子カタログの配信、電子カタログに掲載された商品に関する販売促進メディアの制作等の要求を行う。
【００１４】
サーバ１１は、メーカー企業やサプライヤー企業が有するメーカー端末７、サプライヤー端末８からの商品データ登録の要求に従い、ネットワーク３を介して送られた商品データ３１を標準化しカタログデータ１７に登録する。図３は、メーカー企業等からサーバ１１に送られる商品データ３１の一例であり、カタログ番号、商品名、商品コード、サイズ、色、価格、説明文、Ｗｅｂ用画像データ、印刷用画像データ、図面データ等の自社の商品に関する情報を有し、メーカーにより形式が異なる場合もある。
【００１５】
商品データ３１には、ＥＣサイトの構築、電子調達システム、販売促進メディアの制作等さまざまな用途に活用するためのデータが含まれている。
また、サーバ１１は、買い手となる企業のサプライヤー端末８やバイヤー端末９からの電子カタログ配信の要求に従い、カタログデータ１７から選択したデータを編集して作成した電子カタログを配信する。図４は、サプライヤー端末８やバイヤー端末９のディスプレイに表示される電子カタログの表示例である。
【００１６】
また、サーバ１１は、メーカー端末７、サプライヤー端末８、及びバイヤー端末９からの販売促進メディア製作の要求に従い、カタログデータ１７から商品名、メーカー名、サイズ、色、価格、説明文、印刷用画像データ等の必要なデータを選択して販促メディアデータ１９を作成し、販売促進メディアが紙チラシやカタログ等の印刷物である場合には、印刷装置１５に印刷を指示する。
【００１７】
尚、販売促進メディア制作システム１において、サーバ１１やメーカー端末７、サプライヤー端末８、及びバイヤー端末９に用いられるプログラムは、ＣＤ−ＲＯＭ等に記録して流通させてもよいし、ネットワーク３を介して流通させてもよい。
【００１８】
次に、図５を参照して販売促進メディア制作システム１におけるカタログデータ登録の処理手順を説明する。メーカー端末７またはサプライヤー端末８がサーバ１１に商品データ３１を送りカタログデータ登録の要求をすると（ステップ５０１）、サーバ１１は、商品データ３１を標準化してカタログデータ１７を生成しデータベース１３に登録する（ステップ５０２）。
【００１９】
例えば、メーカー名が「Ｐ電気」であるメーカー企業が、メーカー端末７を用いてサーバ１１に図３に示すような商品名「Ｃ」、及び「Ｄ」の冷蔵庫に関する商品データ３１の登録を要求すると、サーバ１１は、商品データ３１に一元管理のためのカタログ番号を振り、メーカー名を加える等して標準化したカタログデータ１７を生成し、データベース１３に登録する。
【００２０】
図６を参照して販売促進メディア制作システム１におけるカタログデータ配信の処理手順を説明する。サプライヤー端末８またはバイヤー端末９がサーバ１１に条件を指定して電子カタログの配信を要求すると（ステップ６０１）、サーバ１１は、要求に従ってカタログデータ１７から該当するデータを選択し編集して電子カタログを作成し、配信する（ステップ６０２）。サプライヤー端末８またはバイヤー端末９は、受信した電子カタログをディスプレイに表示する（ステップ６０３）。
【００２１】
例えば、サプライヤー企業がメーカー名「Ｏ株式会社」及び「Ｐ電気」の冷蔵庫という条件で電子カタログの配信を要求すると、サーバ１１は、要求に従ってカタログデータ１７からメーカー名「Ｏ株式会社」及び「Ｐ電気」の冷蔵庫に関するデータを選択し編集して電子カタログを作成し、サプライヤー企業に配信する。このときサプライヤー端末８のディスプレイには図４に示すような電子カタログが表示される。
【００２２】
次に、図７を参照して販売促進メディア制作システム１における販売促進メディア制作の処理手順を説明する。メーカー端末７、サプライヤー端末８、及びバイヤー端末９が販促メディア注文情報を作成してサーバ１１に送り、販売促進メディアの制作を要求すると（ステップ７０１）、サーバ１１は、販促メディア注文情報に従って、カタログデータ１７から該当するデータを抽出し、販促メディアデータ１９を制作する（ステップ７０２）。
【００２３】
そしてサーバ１１は、販促メディアデータ１９を用いた販売促進メディアの制作を指示し（ステップ７０３）、制作された販売促進メディアの発注元への納入を指示する（ステップ７０４）。即ち、販促メディアデータ１９が紙カタログ、チラシ等の印刷用のデータである場合には、印刷装置１５に印刷を指示し、印刷物の納入を指示する。尚、販促メディアデータ１９はＣＤ−ＲＯＭやＷｅｂ用のデータであってもよい。
【００２４】
例えば、サプライヤー企業がサプライヤー端末８を用いてカタログデータを閲覧し、商品Ａと商品Ｃに関する情報を掲載したチラシの制作を依頼する場合、図８に示すような、サプライヤー端末８のディスプレイに表示される販促メディア注文画面８１に、販促メディア種別、印刷枚数、納期、商品Ａと商品Ｃの商品コード、商品名、販売価格、宣伝文等を入力して販促メディア注文情報を作成し、サーバ１１送り、販売促進メディアの制作を要求する。
【００２５】
サーバ１１は、カタログデータ１７から商品Ａと商品Ｃに関する販売促進メディア（チラシ）の制作に必要なデータを抽出して編集し、チラシ用の販促メディアデータ１９を制作して印刷装置１５に印刷を指示し、関係部署に印刷されたチラシの発注元サプライヤー企業への納入を指示する。図９は、販促メディアデータ１９を用いて作成された印刷物の一例を示す図である。
【００２６】
以上、図５，６，７を用いて説明した処理手順により、複数のメーカー企業やサプライヤー企業から収集した印刷用の写真データ等を含むカタログデータ１７を用いて販促メディアデータ１９を作成し、メーカー企業やサプライヤー企業、バイヤー企業が希望する紙チラシやカタログ、ＣＤ−ＲＯＭ、Ｗｅｂサイト等の販売促進メディアを制作することが出来る。
【００２７】
上記のように本実施の形態によれば、データベースに登録されている商品に関するカタログデータを活用して、紙カタログやチラシ等の販売促進メディアを制作することができる。
【００２８】
【発明の効果】
以上、詳細に説明したように、本発明によれば、容易に販売促進メディアを制作することを可能とする販売促進メディア制作システムを提供することができる。
【図面の簡単な説明】
【図１】販売促進メディア制作システム１の概略構成を示す図。
【図２】カタログデータ１７の一例を示す図。
【図３】商品データ３１の一例を示す図。
【図４】電子カタログの表示例を示す図。
【図５】カタログデータ登録の処理手順を示すフローチャート。
【図６】カタログデータ配信の処理手順を示すフローチャート。
【図７】販売促進メディア制作の処理手順を示すフローチャート。
【図８】販促メディア注文画面８１の一例を示す図。
【図９】販促メディアデータ１９を用いて作成した印刷物の例を示す図。
【符号の説明】
１…販売促進メディア制作システム
３…ネットワーク
５…販促メディア制作装置　　７…メーカー端末
８…サプライヤー端末
９…バイヤー端末
１１…サーバ
１３…データベース
１５…印刷装置
１７…カタログデータ
１９…販促メディアデータ
３１…商品データ
【図１】
2004012953.tif 000003
【図２】
2004012953.tif 000004
【図３】
2004012953.tif 000005
【図４】
2004012953.tif 000006
【図５】
2004012953.tif 000007
【図６】
2004012953.tif 000008
【図７】
2004012953.tif 000009
【図８】
2004012953.tif 000010
【図９】
2004012953.tif 000011